(57)【要約】      （修正有）【課題】薄く割れやすく、作品のパーツとして取り入れるのは大変困難な素材である経木を用いて、生の風合いを保った生花のように見え、長持安価な花材を提供する。【解決手段】柾目方向に切り出された1つの木片を厚さ方向より削り出された略同一木目を有する複数の経木が重ねられて形成された装飾品であって、互いに重なる経木の木目が揃うように配置された装飾品である。【選択図】図１
2016052727.tif 000002
【特許請求の範囲】
【請求項１】
経木を取り入れたことを特徴とする経木を用いた装飾品。
【請求項２】
経木を花、花びら、葉、リボン、紐の形としたことを特徴とする請求項１に記載の経木を用いた装飾品。
【請求項３】
木片の柾目方向における厚さ方向より連続して削り出しを行った複数の経木を連続して配置することを特徴とする請求項１または請求項２に記載の経木を用いた装飾品
【発明の詳細な説明】
【技術分野】
【０００１】
本発明は経木を取り入れた装飾品に関する。
【背景技術】
【０００２】
経木（きょうぎ）とは、薄い木の板で、材質は主に赤松、杉、ヒノキが用いられ通常は柾目で削られている。紙が普及する前は、広く一般の記録媒体として用いられて来た。削れば書き直しが何度でもできるので、紙が高価な時代には欠かせないものだった。供養のための経文を書き込むなど、仏教儀式に用いられたことから経木と呼ばれ現在に至る。
【先行技術文献】
【特許文献】
【０００３】
【特許文献１】特開２００６−２６９９５号公報
【発明の概要】
【発明が解決しようとする課題】
【０００４】
私は幼い頃よりお花が大好きで、１５歳よりお花を習い、フラワー装飾技能士の国家資格も取得し、夢が叶い先生として、沢山の方々にお花を教える機会を頂いて参りました。数年前より、プリザーブドフラワーというお花が海外から日本に入り、私自身もお花のレッスンに広く取り入れるようになりました。プリザーブドフラワーは、造花やドライフラワーとは違い、生の風合いを保った生花のように見え、しかも、とても長持ちするという利点があります。しかし高価な花材のため、ボランティアなどのレッスンでは、なかなか気軽に使用できないのが現状です。もっと安価で手軽に扱え、しかも皆さんが楽しめる材料は無いものかとずっと探していました。
私の父は大工でした。私は幼い頃から父の仕事を見ているのが好きで、着工する家屋の材料を採寸し、かんなをかけ、材木からくるくると薄い経木が削り取られ、父の足元に沢山落ちて行く様子や、その木の香りが庭に漂っている。そんな光景が大好きでした。削り出された、もう捨ててしまうだけのその経木を父に貰い、並べて花の形を作り良く遊びました。その経験がとても鮮明に記憶に残っており、経木で、葉っぱやお花やリボンの形、また、お花の作品を乗せる台座そのものに経木を使用する。そんな風にお花の作品に経木を取り入れることが出来たら、レッスンがより楽しくなり、プリザーブドフラワーだけで作品を制作するよりも、安価でボランティアレッスンが出来るのではないかと、日夜考えて参りました。経木は薄く割れやすく、作品のパーツとして取り入れるのは大変困難な素材で、他のお花の先生方やお花の企業様が使われる事は、これまではありませんでした。私は試行錯誤を繰り返し、そしてついに経木を使用した私のオリジナル作品を作り上げることに成功しました。幼い頃の想い出。父から受け継いだ想い。そして経木をお花のアレンジメント作品に取り入れて作り続けて来た私自身の経木への想い。これからも私の作品には、経木を色々な形に変えて取り入れ続けて参ります。そして少しでも、レッスンに参加してくださる方々の費用負担を軽減させてあげたい。経木を使用し作品を作ることが、私自身のオリジナル作品であることを守り続けて行きたい。その想いから、この経木を使用しお花のアレンジメントを作る手法やアイデアにつきまして、この度特許を取得致したく申請申し上げます。
【課題を解決するための手段】
【０００５】
上記の課題を解決するための第１の発明は、
経木を取り入れたことを特徴とする経木を用いた装飾品である。
又、第２の発明は、第１の発明において、
経木を花、花びら、葉、リボン、紐の形としたことを特徴とする経木を用いた装飾品である。
又、第３の発明は、第１の発明又は第２の発明において、
木片の柾目方向における厚さ方向より連続して削り出しを行った複数の経木を連続して配置することを特徴とする経木を用いた装飾品である。
【０００６】
経木を取り入れる作品を私のレッスンの主体とし、私の作品のカラーとして行きたいため、特許を取得することで、他のお花に関わる先生方、またはお花関係の企業様への抑止力になります。また、私はボランティア活動として、お花の持つ力を、お年寄りの皆様や、東日本大震災で被災された地域の方々へ、このお花に触れて頂くことで、微量でもお元気になって頂けたら、という思いから、定期的にワークショップという安価でお花の作品を作れる活動を始めて３年目に入りました。経木を取り入れることで、皆さまが和の雰囲気をとても喜ばれます。しかし、この活動が本で連載されるようになり、経木を使った作品に注目が集まり始めており、似たような作品を発表する企業様も出て参りました。何年もかけて考えてきた手法を真似されたくない思いがあります。これは以前、私のオリジナルデザインの経木を取り入れたお花の作品の経木の部分を、そっくりそのまま別の企業様に真似され、その企業様が販売するに至った経験があるためです。純粋に、安価で多くの方々に楽しんで頂きたいという思いで試行錯誤してきた努力を守りたいのです。決して自身の利益を追求する物ではありません。特許申請はそのための抑止力と考えております。あくまでも自然に立っていた木の状態のままで経木になり、それを作品にして行くことが私の技法の拘りです。また、お花の作品の器として経木を使うことや、プリザーブドフラワー、生花アレンジメント作品に経木を使用する事が私のオリジナル作品です。私のお花の作品＝経木を使用したお花の作品という、これまで培って来た技術や、まだ経木が誰にも注目されていなかった頃から、自身の個性を大切にしてきたことを、世の中の流行りや、大手の花の企業様に真似されたくない思いがあります。経木は薄く木目があるため湿気や乾燥など、その場の環境に非常に左右されやすく、割れたり変色したり加工しにくかったりと、お花関係の先生方はこれまではあまり作品には使いたがらない材料でした。
しかしこのところ、この経木に注目が集まり始め、今後は流行りの兆しも出て参りました。私が始め、これまで温めてきた技術や自分自身の拘りは守りたい思いがあります。
【発明の効果】
【０００７】
本発明によれば、略同一の木目を有する経木を、その木目が揃うように重ね、木目が連なることで、全く異なる美しい模様を形成することができる。
【図面の簡単な説明】
【０００８】
【図１】装飾品を示した図である。
【図２】経木を示した図である。
【図３】図１に示す例とは異なるデザインの装飾品である。
【発明を実施するための形態】
【０００９】
柾目方向に切り出された1つの木片を厚さ方向より削り出された略同一木目を有する複数の経木が重ねられて形成された装飾品であって、互いに重なる経木の木目が揃うように配置された経木を用いた装飾品。
図１は、経木を葉の形に切り出したものである。同様に、花、花びら、葉、リボン、紐、の形に形成しても良い。
図２は経木を示したものである。厚さは0.02mm程度である。
図３は、経木、プリザーブドフラワー、布とのコラボレーション作品である。この場合にも、経木は図１に示した場合と同様に採取し、配置している。尚、コラボレーション作品では、その他、フルーツ、木の実、竹等を組み合わせても良い。
【図１】
2016052727.tif 000003
【図２】
2016052727.tif 000004
【図３】
2016052727.tif 000005